(57)【要約】本発明は無線通信方法を開示し、該無線通信方法は、メディアアクセスコントロールプロトコルデータユニットＭＰＤＵのタイプにより、メディアアクセスコントロールＭＡＣフレームヘッドのタイプを決めることと、ＭＡＣフレームヘッドの中の機能フィールドに対しアサインし、前記ＭＡＣフレームヘッドを生成することと、少なくともＭＡＣフレームヘッドを含むＭＰＤＵを生成することと、前記ＭＰＤＵをパッケージして送信することとを含む。本発明はさらに、送信装置と受信装置を開示し、本発明の方法と装置を通じて、機能が完全で、構造が簡潔で、実現・拡張しやすいシグナリングフォーマットを実現し、新しく定義される中・短距離無線通信システムに適用し、処理の複雑度を低下させ、処理を簡単・安定にし、解析が便利になり、システム性能に対する要求が高くなく、サービスの効率的な伝送を実現し、エア・インタフェース資源の利用率を向上させる。
2014511077.tif 000002
【特許請求の範囲】
【請求項１】
メディアアクセスコントロールプロトコルデータユニットＭＰＤＵのタイプにより、メディアアクセスコントロールＭＡＣフレームヘッドのタイプを決めることと、
ＭＡＣフレームヘッドの中の機能フィールドをアサインし、前記ＭＡＣフレームヘッドを生成することと、
少なくともＭＡＣフレームヘッドを含むＭＰＤＵを生成することと、
前記ＭＰＤＵをパッケージして送信することとを含むことを特徴とする無線通信方法。
【請求項２】
前記ＭＰＤＵのタイプは、２種類のフレームを含み、該２種類のフレームは、異なる長さのＭＡＣフレームヘッドを有することを特徴とする請求項１に記載の方法。
【請求項３】
第１種類のフレームのＭＡＣフレームヘッドの長さＬ１と第２種類のフレームのＭＡＣフレームヘッドの長さＬ２はいずれも固定値であり、Ｌ１はＬ２より小さいことを特徴とする請求項２に記載の方法。
【請求項４】
前記第１種類のフレームのＭＡＣフレームヘッドは、プロトコルバージョン情報を担持するフィールド、フレームタイプ情報を担持するフィールド、サブタイプ情報を担持するフィールド、及びフローＩＤ情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示すことを特徴とする請求項３に記載の方法。
【請求項５】
前記第１種類のフレームのＭＡＣフレームヘッドは、フレームタイプ情報を担持するフィールド、サブタイプ情報を担持するフィールド、プロトコルバージョン情報を担持するフィールド、フローＩＤ情報を担持するフィールド、及び再送指示情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示し、
前記再送指示情報は、現在のフレームが前フレームの再送フレームであることを示すことを特徴とする請求項３に記載の方法。
【請求項６】
前記第２種類のフレームのＭＡＣフレームヘッドは、プロトコルバージョン情報を担持するフィールド、フレームタイプ情報を担持するフィールド、サブタイプ情報を担持するフィールド、フローＩＤ情報を担持するフィールド、フラグメンテーション番号情報を担持するフィールド、シーケンス番号情報を担持するフィールド、フラグメンテーション指示情報を担持するフィールド、及び長さ情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示し、
前記フラグメンテーション番号情報は、ＭＡＣサービスデータユニットＭＳＤＵまたはＭＡＣ管理プロトコルデータユニットＭＭＰＤＵの各フラグメンテーションの番号を示し、
前記シーケンス番号情報は、ＭＡＣサービスデータユニットＭＳＤＵまたはＭＡＣ管理プロトコルデータユニットＭＭＰＤＵのシーケンス番号を示し、
前記フラグメンテーション指示情報は、後に現在ＭＡＣサービスデータユニットＭＳＤＵまたはＭＡＣ管理プロトコルデータユニットＭＭＰＤＵのフラグメンテーションがあるか否かを示し、
前記長さ情報は、ＭＡＣフレームヘッドフィールドとＦＣＳフィールドの間の全フィールドの総バイト長を示すことを特徴とする請求項３に記載の方法。
【請求項７】
前記第２種類のフレームのＭＡＣフレームヘッドは、フレームタイプ情報を担持するフィールド、サブタイプ情報を担持するフィールド、プロトコルバージョン情報を担持するフィールド、フローＩＤ情報を担持するフィールド、再送指示情報を担持するフィールド、フラグメンテーション番号情報を担持するフィールド、シーケンス番号情報を担持するフィールド、フラグメンテーション指示情報を担持するフィールド、及び長さ情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示し、
前記再送指示情報は、現在のフレームが前フレームの再送フレームであることを示し、
前記フラグメンテーション番号情報は、ＭＡＣサービスデータユニットＭＳＤＵまたはＭＡＣ管理プロトコルデータユニットＭＭＰＤＵの各フラグメンテーションの番号を示し、
前記シーケンス番号情報は、ＭＡＣサービスデータユニットＭＳＤＵまたはＭＡＣ管理プロトコルデータユニットＭＭＰＤＵのシーケンス番号を示し、
前記フラグメンテーション指示情報は、後に現在ＭＡＣサービスデータユニットＭＳＤＵまたはＭＡＣ管理プロトコルデータユニットＭＭＰＤＵのフラグメンテーションがあるか否かを示し、
前記長さ情報は、ＭＡＣフレームヘッドフィールドとＦＣＳフィールドの間の全フィールドの総バイト長を示すことを特徴とする請求項３に記載の方法。
【請求項８】
送信待ちの内容により、前記ＭＰＤＵのタイプを決めることをさらに含むことを特徴とする請求項１に記載の方法。
【請求項９】
前記送信待ちの内容により、前記ＭＰＤＵのフレームボディーをペイロードで充填することをさらに含み、
前記ＭＰＤＵは少なくとも前記ＭＡＣフレームヘッドとフレームボディーを含み、前記ペイロードは、１つまたは複数のメディアアクセスコントロールサービスデータユニットＭＳＤＵ、または１つの管理プロトコルデータユニットＭＭＰＤＵ、または１つのＭＳＤＵフラグメンテーション、または１つのＭＭＰＤＵフラグメンテーションを含むことを特徴とする請求項８に記載の方法。
【請求項１０】
少なくともメディアアクセスコントロールＭＡＣフレームヘッドを含むメディアアクセスコントロールプロトコルデータユニットＭＰＤＵを受信することと、
前記ＭＡＣフレームヘッドにより前記ＭＰＤＵを解析し、且つ前記ＭＰＤＵのタイプを決めることと
を含むこと
を特徴とする無線通信方法。
【請求項１１】
前記ＭＰＤＵのタイプは、２種類のフレームを含み、該２種類のフレームは、異なる長さのＭＡＣフレームヘッドを有することを特徴とする請求項１０に記載の方法。
【請求項１２】
第１種類のフレームのＭＡＣフレームヘッドの長さＬ１と第２種類のフレームのＭＡＣフレームヘッドの長さＬ２はいずれも固定値であり、Ｌ１はＬ２より小さいことを特徴とする請求項１１に記載の方法。
【請求項１３】
前記第１種類のフレームのＭＡＣフレームヘッドは、プロトコルバージョン情報を担持するフィールド、フレームタイプ情報を担持するフィールド、サブタイプ情報を担持するフィールド、及びフローＩＤ情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示すことを特徴とする請求項１２に記載の方法。
【請求項１４】
前記第１種類のフレームのＭＡＣフレームヘッドは、プロトコルバージョン情報を担持するフィールド、フレームタイプ情報を担持するフィールド、サブタイプ情報を担持するフィールド、フローＩＤ情報を担持するフィールド、及び再送指示情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示し、
前記再送指示情報は、現在のフレームが前フレームの再送フレームであることを示すことを特徴とする請求項１２に記載の方法。
【請求項１５】
前記第2種類のフレームのＭＡＣフレームヘッドは、プロトコルバージョン情報を担持するフィールド、フレームタイプ情報を担持するフィールド、サブタイプ情報を担持するフィールド、フローＩＤ情報を担持するフィールド、フラグメンテーション番号情報を担持するフィールド、シーケンス番号情報を担持するフィールド、フラグメンテーション指示情報を担持するフィールド、及び長さ情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示し、
前記フラグメンテーション番号情報は、ＭＡＣサービスデータユニットＭＳＤＵまたはＭＡＣ管理プロトコルデータユニットＭＭＰＤＵの各フラグメンテーションの番号を示し、
前記シーケンス番号情報は、ＭＡＣサービスデータユニットＭＳＤＵまたはＭＡＣ管理プロトコルデータユニットＭＭＰＤＵのシーケンス番号を示し、
前記フラグメンテーション指示情報は、後に現在ＭＡＣサービスデータユニットＭＳＤＵまたはＭＡＣ管理プロトコルデータユニットＭＭＰＤＵのフラグメンテーションがあるか否かを示し、
前記長さ情報は、ＭＡＣフレームヘッドフィールドとＦＣＳフィールドの間の全フィールドの総バイト長を示すことを特徴とする請求項１２に記載の方法。
【請求項１６】
前記第２種類のフレームのＭＡＣフレームヘッドは、フレームタイプ情報を担持するフィールド、サブタイプ情報を担持するフィールド、プロトコルバージョン情報を担持するフィールド、フローＩＤ情報を担持するフィールド、再送指示情報を担持するフィールド、フラグメンテーション番号情報を担持するフィールド、シーケンス番号情報を担持するフィールド、フラグメンテーション指示情報を担持するフィールド、及び長さ情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示し、
前記再送指示情報は、現在のフレームが前フレームの再送フレームであることを示し、
前記フラグメンテーション番号情報は、ＭＡＣサービスデータユニットＭＳＤＵまたはＭＡＣ管理プロトコルデータユニットＭＭＰＤＵの各フラグメンテーションの番号を示し、
前記シーケンス番号情報は、ＭＡＣサービスデータユニットＭＳＤＵまたはＭＡＣ管理プロトコルデータユニットＭＭＰＤＵのシーケンス番号を示し、
前記フラグメンテーション指示情報は、後に現在ＭＡＣサービスデータユニットＭＳＤＵまたはＭＡＣ管理プロトコルデータユニットＭＭＰＤＵのフラグメンテーションがあるか否かを示し、
前記長さ情報は、ＭＡＣフレームヘッドフィールドとＦＣＳフィールドの間の全フィールドの総バイト長を示すことを特徴とする請求項１２に記載の方法。
【請求項１７】
前記ＭＰＤＵはフレームボディーをさらに含み、
前記方法は、フレームボディーを解析し、その中からペイロードを抽出することをさらに含み、その内、前記ペイロードは、１つまたは複数のメディアアクセスコントロールサービスデータユニットＭＳＤＵ、または１つの管理プロトコルデータユニットＭＭＰＤＵ、または1つのＭＳＤＵフラグメンテーション、または1つのＭＭＰＤＵフラグメンテーションを含むことを特徴とする請求項１０に記載の方法。
【請求項１８】
メディアアクセスコントロールプロトコルデータユニットＭＰＤＵのタイプにより、メディアアクセスコントロールＭＡＣフレームヘッドのタイプを決めるための確定モジュールと、
ＭＡＣフレームヘッドの中の機能フィールドのアサインに使用され、ＭＡＣフレームヘッドを生成するための第１生成モジュールと、
少なくともＭＡＣフレームヘッドを含むＭＰＤＵを生成するための第２生成モジュールと、
前記ＭＰＤＵをパッケージして送信するための送信モジュールと
を備えることを特徴とする送信装置。
【請求項１９】
前記ＭＰＤＵのタイプは、２種類のフレームを含み、該２種類のフレームは、異なる長さのＭＡＣフレームヘッドを有することを特徴とする請求項１８に記載の装置。
【請求項２０】
第１種類のフレームのＭＡＣフレームヘッドの長さＬ１と第２種類のフレームのＭＡＣフレームヘッドの長さＬ２はいずれも固定値であり、Ｌ１はＬ２より小さいことを特徴とする請求項１９に記載の装置。
【請求項２１】
前記第１種類のフレームのＭＡＣフレームヘッドは、プロトコルバージョン情報を担持するフィールド、フレームタイプ情報を担持するフィールド、サブタイプ情報を担持するフィールド、及びフローＩＤ情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示すこと
を特徴とする請求項２０に記載の装置。
【請求項２２】
前記第1種類のフレームのＭＡＣフレームヘッドは、フレームタイプ情報を担持するフィールド、サブタイプ情報を担持するフィールド、プロトコルバージョン情報を担持するフィールド、フローＩＤ情報を担持するフィールド、及び再送指示情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示し、
前記再送指示情報は、現在のフレームが前フレームの再送フレームであることを示すことを特徴とする請求項２０に記載の装置。
【請求項２３】
前記第2種類のフレームのＭＡＣフレームヘッドは、プロトコルバージョン情報を担持するフィールド、フレームタイプ情報を担持するフィールド、サブタイプ情報を担持するフィールド、フローＩＤ情報を担持するフィールド、フラグメンテーション番号情報を担持するフィールド、シーケンス番号情報を担持するフィールド、フラグメンテーション指示情報を担持するフィールド、及び長さ情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示し、
前記フラグメンテーション番号情報は、ＭＡＣサービスデータユニットＭＳＤＵまたはＭＡＣ管理プロトコルデータユニットＭＭＰＤＵの各フラグメンテーションの番号を示し、
前記シーケンス番号情報は、ＭＡＣサービスデータユニットＭＳＤＵまたはＭＡＣ管理プロトコルデータユニットＭＭＰＤＵのシーケンス番号を示し、
前記フラグメンテーション指示情報は、後に現在ＭＡＣサービスデータユニットＭＳＤＵまたはＭＡＣ管理プロトコルデータユニットＭＭＰＤＵのフラグメンテーションがあるか否かを示し、
前記長さ情報は、ＭＡＣフレームヘッドフィールドとＦＣＳフィールドの間の全フィールドの総バイト長を示すことを特徴とする請求項２０に記載の装置。
【請求項２４】
前記第2種類のフレームのＭＡＣフレームヘッドは、フレームタイプ情報を担持するフィールド、サブタイプ情報を担持するフィールド、プロトコルバージョン情報を担持するフィールド、フローＩＤ情報を担持するフィールド、再送指示情報を担持するフィールド、フラグメンテーション番号情報を担持するフィールド、シーケンス番号情報を担持するフィールド、フラグメンテーション指示情報を担持するフィールド、及び長さ情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示し、
前記再送指示情報は、現在のフレームが前フレームの再送フレームであることを示し、
前記フラグメンテーション番号情報は、ＭＡＣサービスデータユニットＭＳＤＵまたはＭＡＣ管理プロトコルデータユニットＭＭＰＤＵの各フラグメンテーションの番号を示し、
前記シーケンス番号情報は、ＭＡＣサービスデータユニットＭＳＤＵまたはＭＡＣ管理プロトコルデータユニットＭＭＰＤＵのシーケンス番号を示し、
前記フラグメンテーション指示情報は、後に現在ＭＡＣサービスデータユニットＭＳＤＵまたはＭＡＣ管理プロトコルデータユニットＭＭＰＤＵのフラグメンテーションがあるか否かを示し、
前記長さ情報は、ＭＡＣフレームヘッドフィールドとＦＣＳフィールドの間の全フィールドの総バイト長を示すことを特徴とする請求項２０に記載の装置。
【請求項２５】
前記確定モジュールは、さらに、送信待ちの内容により、ＭＰＤＵのタイプを決めることを特徴とする請求項１８に記載の装置。
【請求項２６】
前記第2生成モジュールは、前記送信待ちの内容により、ＭＰＤＵのフレームボディーをペイロードで充填し、
前記ＭＰＤＵは少なくともＭＡＣフレームヘッドとフレームボディーを含み、前記ペイロードは、1つまたは複数のメディアアクセスコントロールサービスデータユニットＭＳＤＵ、または1つの管理プロトコルデータユニットＭＭＰＤＵ、または1つのＭＳＤＵフラグメンテーション、または1つのＭＭＰＤＵフラグメンテーションを含むことを特徴とする請求項２５に記載の装置。
【請求項２７】
少なくともメディアアクセスコントロールＭＡＣフレームヘッドを含むメディアアクセスコントロールプロトコルデータユニットＭＰＤＵを受信するための受信モジュールと、
前記ＭＡＣフレームヘッドにより前記ＭＰＤＵを解析し、且つ前記ＭＰＤＵのタイプを決めるための解析モジュールと
を備えた受信装置。
【請求項２８】
前記ＭＰＤＵのタイプは、２種類のフレームを含み、該２種類のフレームは、異なる長さのＭＡＣフレームヘッドを有することを特徴とする請求項２７に記載の装置。
【請求項２９】
第１種類のフレームのＭＡＣフレームヘッドの長さＬ１と第２種類のフレームのＭＡＣフレームヘッドの長さＬ２はいずれも固定値であり、Ｌ１はＬ２より小さいことを特徴とする請求項２８に記載の装置。
【請求項３０】
前記第１種類のフレームのＭＡＣフレームヘッドは、プロトコルバージョン情報を担持するフィールド、フレームタイプ情報を担持するフィールド、サブタイプ情報を担持するフィールド、及びフローＩＤ情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示すことを特徴とする請求項２９に記載の装置。
【請求項３１】
前記第１種類のフレームのＭＡＣフレームヘッドは、フレームタイプ情報を担持するフィールド、サブタイプ情報を担持するフィールド、プロトコルバージョン情報を担持するフィールド、フローＩＤ情報を担持するフィールド、及び再送指示情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示し、
前記再送指示情報は、現在のフレームが前フレームの再送フレームであることを示すことを特徴とする請求項２９に記載の装置。
【請求項３２】
前記第２種類のフレームのＭＡＣフレームヘッドは、プロトコルバージョン情報を担持するフィールド、フレームタイプ情報を担持するフィールド、サブタイプ情報を担持するフィールド、フローＩＤ情報を担持するフィールド、フラグメンテーション番号情報を担持するフィールド、シーケンス番号情報を担持するフィールド、フラグメンテーション指示情報を担持するフィールド、及び長さ情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示し、
前記フラグメンテーション番号情報は、ＭＡＣサービスデータユニットＭＳＤＵまたはＭＡＣ管理プロトコルデータユニットＭＭＰＤＵの各フラグメンテーションの番号を示し、
前記シーケンス番号情報は、ＭＡＣサービスデータユニットＭＳＤＵまたはＭＡＣ管理プロトコルデータユニットＭＭＰＤＵのシーケンス番号を示し、
前記フラグメンテーション指示情報は、後に現在ＭＡＣサービスデータユニットＭＳＤＵまたはＭＡＣ管理プロトコルデータユニットＭＭＰＤＵのフラグメンテーションがあるか否かを示し、
前記長さ情報は、ＭＡＣフレームヘッドフィールドとFCSフィールドの間の全フィールドの総バイト長を示すことを特徴とする請求項２９に記載の装置。
【請求項３３】
前記第２種類のフレームのＭＡＣフレームヘッドは、フレームタイプ情報を担持するフィールド、サブタイプ情報を担持するフィールド、プロトコルバージョン情報を担持するフィールド、フローＩＤ情報を担持するフィールド、再送指示情報を担持するフィールド、フラグメンテーション番号情報を担持するフィールド、シーケンス番号情報を担持するフィールド、フラグメンテーション指示情報を担持するフィールド、及び長さ情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示し、
前記再送指示情報は、現在のフレームが前フレームの再送フレームであることを示し、
前記フラグメンテーション番号情報は、ＭＡＣサービスデータユニットＭＳＤＵまたはＭＡＣ管理プロトコルデータユニットＭＭＰＤＵの各フラグメンテーションの番号を示し、
前記シーケンス番号情報は、ＭＡＣサービスデータユニットＭＳＤＵまたはＭＡＣ管理プロトコルデータユニットＭＭＰＤＵのシーケンス番号を示し、
前記フラグメンテーション指示情報は、後に現在ＭＡＣサービスデータユニットＭＳＤＵまたはＭＡＣ管理プロトコルデータユニットＭＭＰＤＵのフラグメンテーションがあるか否かを示し、
前記長さ情報は、ＭＡＣフレームヘッドフィールドとＦＣＳフィールドの間の全フィールドの総バイト長を示すことを特徴とする請求項29に記載の装置。
【請求項３４】
前記ＭＰＤＵはフレームボディーをさらに含み、
前記解析モジュールは、さらに、フレームボディーを解析し、その中からペイロードを抽出し、前記ペイロードは、１つまたは複数のメディアアクセスコントロールサービスデータユニットＭＳＤＵ、または１つの管理プロトコルデータユニットＭＭＰＤＵ、または1つのＭＳＤＵフラグメンテーション、または１つのＭＭＰＤＵフラグメンテーションを含むことを特徴とする請求項２７に記載の装置。
【発明の詳細な説明】
【技術分野】
【０００１】
本発明は無線通信分野に属し、特に無線通信方法、送信装置及び受信装置に関するものである。
【背景技術】
【０００２】
近年、短距離無線ネットワーク技術には、８０２．１１標準に基づく無線ＬＡＮ ＷｉＦｉ技術、８０２．１５に基づくブルートゥース（Ｂｌｕｅｔｏｏｔｈ（登録商標））システム及び移動通信システムから生まれた室内アプリに向けるＦｅｍｔｏ技術などがある。
【発明の概要】
【発明が解決しようとする課題】
【０００３】
無線通信技術の速い発展に伴い、無線通信システムの中で更に適用するＭＡＣ層の実現方法に対して更に高い要求が求められている。
【課題を解決するための手段】
【０００４】
これを鑑みて、本発明が解決しようとする技術的問題は、新しく定義される中・短距離通信システムを目安として設計される、機能が完全で、構造が簡潔で、実現と拡張しやすい汎用ＭＡＣフレームヘッドを提供し、中・短距離通信システムに適用する。本発明で開示される実施例のいくつかの面を基本的に理解するために、以下、簡単な概括を提供している。この概括部分は一般的に論評するものでもなく、鍵／重要な構成要素を確定し、又はこれらの実施例の保護範囲を描くものでもない。その唯一の目的は、簡単な形式で概念を表して、以下の詳しい説明の基礎とすることにある。
【０００５】
上記の技術的問題を解決するために、本発明は、それぞれが１つ又は複数のパケットを含む１つ又は複数のフローを第１層で受信することと、第２層で前記１つ又は複数のフローの1つ又は複数のパケットに基づいて、１つ又は複数のメディアアクセスコントロールＭＡＣ層プロトコルデータユニットＭＰＤＵ（該ＭＰＤＵは、ＭＡＣフレームヘッド、フレームボディー、及びフレームチェックシーケンス ＦＣＳを含み、前記ＭＡＣフレームヘッドは、フレームコントロールフィールド、フラグメンテーション番号、シーケンス番号、リザーブ、フラグメンテーション指示、及び長さを含む）を生成することと、第２層で生成されたＭＰＤＵを伝送するための物理フレームを第３層で形成することとを含む無線通信方法が提供されている。
好ましくは、前記フレームボディーは、伝送必要があるデータ又は管理メッセージの内容のペイロードを携帯するものである。
【０００６】
好ましくは、前記フレームコントロールドメインは、プロトコルバージョン、フレームタイプ、サブタイプ、フローＩＤ、再送、電力節約及びリザーブを含み、
前記プロトコルバージョンは、現在標準のプロトコルバージョン番号を示し、
前記フレームタイプは、フレームの機能タイプを標識し、データ及び管理という２種類を含み、
前記サブタイプ情報は、具体的な各種フレームの機能を標識し、
前記フローＩＤは、各端末のサービス接続を示し、
前記再送は、重複フレームを補助的に除去し、
前記電力節約は、ＳＴＡの電力節約モードを示し、
前記長さフィールドは、長さフィールド後の全フィールドの総バイト長を示し、
前記フラグメンテーション指示は、後方にてさらに多いフラグメンテーションがあるか否かを示し、
前記フラグメンテーション番号は、ＭＳＤＵの各フラグメンテーションの番号を示し、
前記シーケンス番号は、ＭＳＤＵのシーケンス番号を示す。
【０００７】
上記の技術的問題を解決するために、本発明は、メディアアクセスコントロールプロトコルデータユニットＭＰＤＵのタイプにより、メディアアクセスコントロールＭＡＣフレームヘッドのタイプを決めることと、ＭＡＣフレームヘッドの中の機能フィールドをアサインし、前記ＭＡＣフレームヘッドを生成することと、少なくともＭＡＣフレームヘッドを含むＭＰＤＵを生成することと、前記ＭＰＤＵをパッケージして送信することとを含む無線通信方法を提供する。
【０００８】
好ましくは、前記ＭＰＤＵのタイプは、２種類のフレームを含み、該２種類のフレームは、異なる長さのＭＡＣフレームヘッドを有する。
【０００９】
好ましくは、第１種類のフレームのＭＡＣフレームヘッドの長さＬ１と第２種類のフレームのＭＡＣフレームヘッドの長さＬ２はいずれも固定値であり、Ｌ１はＬ２より小さい。
【００１０】
好ましくは、前記第１種類のフレームのＭＡＣフレームヘッドは、プロトコルバージョン情報を担持するフィールド、フレームタイプ情報を担持するフィールド、サブタイプ情報を担持するフィールド、及びフローＩＤ情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示す。
【００１１】
好ましくは、前記第１種類のフレームのＭＡＣフレームヘッドは、フレームタイプ情報を担持するフィールド、サブタイプ情報を担持するフィールド、プロトコルバージョン情報を担持するフィールド、フローＩＤ情報を担持するフィールド、及び再送指示情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示し、
前記再送指示情報は、現在のフレームが前フレームの再送フレームであることを示す。
【００１２】
好ましくは、前記第２種類のフレームのＭＡＣフレームヘッドは、プロトコルバージョン情報を担持するフィールド、フレームタイプ情報を担持するフィールド、サブタイプ情報を担持するフィールド、フローＩＤ情報を担持するフィールド、フラグメンテーション番号情報を担持するフィールド、シーケンス番号情報を担持するフィールド、フラグメンテーション指示情報を担持するフィールド、及び長さ情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示し、
前記フラグメンテーション番号情報は、ＭＡＣサービスデータユニットＭＳＤＵまたはＭＡＣ管理プロトコルデータユニットＭＭＰＤＵの各フラグメンテーションの番号を示し、
前記シーケンス番号情報は、ＭＡＣサービスデータユニットＭＳＤＵまたはＭＡＣ管理プロトコルデータユニットＭＭＰＤＵのシーケンス番号を示し、
前記フラグメンテーション指示情報は、後に現在ＭＡＣサービスデータユニットＭＳＤＵまたはＭＡＣ管理プロトコルデータユニットＭＭＰＤＵのフラグメンテーションがあるか否かを示し、
前記長さ情報は、ＭＡＣフレームヘッドフィールドとFCSフィールドの間の全フィールドの総バイト長を示す。
【００１３】
好ましくは、前記第２種類のフレームのＭＡＣフレームヘッドは、フレームタイプ情報を担持するフィールド、サブタイプ情報を担持するフィールド、プロトコルバージョン情報を担持するフィールド、フローＩＤ情報を担持するフィールド、再送指示情報を担持するフィールド、フラグメンテーション番号情報を担持するフィールド、シーケンス番号情報を担持するフィールド、フラグメンテーション指示情報を担持するフィールド、及び長さ情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示し、
前記再送指示情報は、現在のフレームが前フレームの再送フレームであることを示し、
前記フラグメンテーション番号情報は、ＭＡＣサービスデータユニットＭＳＤＵまたはＭＡＣ管理プロトコルデータユニットＭＭＰＤＵの各フラグメンテーションの番号を示し、
前記シーケンス番号情報は、ＭＡＣサービスデータユニットＭＳＤＵまたはＭＡＣ管理プロトコルデータユニットＭＭＰＤＵのシーケンス番号を示し、
前記フラグメンテーション指示情報は、後に現在ＭＡＣサービスデータユニットＭＳＤＵまたはＭＡＣ管理プロトコルデータユニットＭＭＰＤＵのフラグメンテーションがあるか否かを示し、
前記長さ情報は、ＭＡＣフレームヘッドフィールドとＦＣＳフィールドの間の全フィールドの総バイト長を示す。
【００１４】
好ましくは、送信待ちの内容により、前記ＭＰＤＵのタイプを決めることをさらに含む。
【００１５】
好ましくは、前記送信待ちの内容により、前記ＭＰＤＵのフレームボディーをペイロードで充填することをさらに含み、
前記ＭＰＤＵは少なくとも前記ＭＡＣフレームヘッドとフレームボディーを含み、前記ペイロードは、1つまたは複数のメディアアクセスコントロールサービスデータユニットＭＳＤＵ、または１つの管理プロトコルデータユニットＭＭＰＤＵ、または1つのＭＳＤＵフラグメンテーション、または1つのＭＭＰＤＵフラグメンテーションを含む。
上記の技術的問題を解決するために、本発明は、少なくともメディアアクセスコントロールＭＡＣフレームヘッドを含むメディアアクセスコントロールプロトコルデータユニットＭＰＤＵを受信することと、
前記ＭＡＣフレームヘッドにより前記ＭＰＤＵを解析し、且つ前記ＭＰＤＵのタイプを決めることとを含む無線通信方法をさらに提供する。
【００１６】
好ましくは、前記ＭＰＤＵのタイプは、２種類のフレームを含み、該２種類のフレームは、異なる長さのＭＡＣフレームヘッドを有する。
【００１７】
好ましくは、第１種類のフレームのＭＡＣフレームヘッドの長さＬ１と第２種類のフレームのＭＡＣフレームヘッドの長さＬ２はいずれも固定値であり、Ｌ１はＬ２より小さい。
【００１８】
好ましくは、前記第１種類のフレームのＭＡＣフレームヘッドは、プロトコルバージョン情報を担持するフィールド、フレームタイプ情報を担持するフィールド、サブタイプ情報を担持するフィールド、及びフローＩＤ情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示す。
【００１９】
好ましくは、前記第１種類のフレームのＭＡＣフレームヘッドは、プロトコルバージョン情報を担持するフィールド、フレームタイプ情報を担持するフィールド、サブタイプ情報を担持するフィールド、フローＩＤ情報を担持するフィールド、及び再送指示情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示し、
前記再送指示情報は、現在のフレームが前フレームの再送フレームであることを示す。
【００２０】
好ましくは、前記第２種類のフレームのＭＡＣフレームヘッドは、プロトコルバージョン情報を担持するフィールド、フレームタイプ情報を担持するフィールド、サブタイプ情報を担持するフィールド、フローＩＤ情報を担持するフィールド、フラグメンテーション番号情報を担持するフィールド、シーケンス番号情報を担持するフィールド、フラグメンテーション指示情報を担持するフィールド、及び長さ情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示し、
前記フラグメンテーション番号情報は、ＭＡＣサービスデータユニットＭＳＤＵまたはＭＡＣ管理プロトコルデータユニットＭＭＰＤＵの各フラグメンテーションの番号を示し、
前記シーケンス番号情報は、ＭＡＣサービスデータユニットＭＳＤＵまたはＭＡＣ管理プロトコルデータユニットＭＭＰＤＵのシーケンス番号を示し、
前記フラグメンテーション指示情報は、後に現在ＭＡＣサービスデータユニットＭＳＤＵまたはＭＡＣ管理プロトコルデータユニットＭＭＰＤＵのフラグメンテーションがあるか否かを示し、
前記長さ情報は、ＭＡＣフレームヘッドフィールドとＦＣＳフィールドの間の全フィールドの総バイト長を示す。
【００２１】
好ましくは、前記第2種類のフレームのＭＡＣフレームヘッドは、フレームタイプ情報を担持するフィールド、サブタイプ情報を担持するフィールド、プロトコルバージョン情報を担持するフィールド、フローＩＤ情報を担持するフィールド、再送指示情報を担持するフィールド、フラグメンテーション番号情報を担持するフィールド、シーケンス番号情報を担持するフィールド、フラグメンテーション指示情報を担持するフィールド、及び長さ情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示し、
前記再送指示情報は、現在のフレームが前フレームの再送フレームであることを示し、
前記フラグメンテーション番号情報は、ＭＡＣサービスデータユニットＭＳＤＵまたはＭＡＣ管理プロトコルデータユニットＭＭＰＤＵの各フラグメンテーションの番号を示し、
前記シーケンス番号情報は、ＭＡＣサービスデータユニットＭＳＤＵまたはＭＡＣ管理プロトコルデータユニットＭＭＰＤＵのシーケンス番号を示し、
前記フラグメンテーション指示情報は、後に現在ＭＡＣサービスデータユニットＭＳＤＵまたはＭＡＣ管理プロトコルデータユニットＭＭＰＤＵのフラグメンテーションがあるか否かを示し、
前記長さ情報は、ＭＡＣフレームヘッドフィールドとＦＣＳフィールドの間の全フィールドの総バイト長を示す。
【００２２】
好ましくは、前記ＭＰＤＵはフレームボディーをさらに含み、
前記方法は、フレームボディーを解析し、その中からペイロードを抽出することをさらに含み、その内、前記ペイロードは、１つまたは複数のメディアアクセスコントロールサービスデータユニットＭＳＤＵ、または１つの管理プロトコルデータユニットＭＭＰＤＵ、または1つのＭＳＤＵフラグメンテーション、または１つのＭＭＰＤＵフラグメンテーションを含む。
上記の技術的問題を解決するために、本発明は、メディアアクセスコントロールプロトコルデータユニットＭＰＤＵのタイプにより、メディアアクセスコントロールＭＡＣフレームヘッドのタイプを決めるための確定モジュールと、
ＭＡＣフレームヘッドの中の機能フィールドのアサインに使用され、ＭＡＣフレームヘッドを生成するための第１生成モジュールと、
少なくともＭＡＣフレームヘッドを含むＭＰＤＵを生成するための第２生成モジュールと、
前記ＭＰＤＵをパッケージして送信するための送信モジュールとを備える送信装置をさらに提供する。
【００２３】
好ましくは、前記ＭＰＤＵのタイプは、２種類のフレームを含み、該２種類のフレームは、異なる長さのＭＡＣフレームヘッドを有する。
【００２４】
好ましくは、第１種類のフレームのＭＡＣフレームヘッドの長さＬ１と第２種類のフレームのＭＡＣフレームヘッドの長さＬ２はいずれも固定値であり、Ｌ１はＬ２より小さい。
【００２５】
好ましくは、前記第1種類のフレームのＭＡＣフレームヘッドは、プロトコルバージョン情報を担持するフィールド、フレームタイプ情報を担持するフィールド、サブタイプ情報を担持するフィールド、及びフローＩＤ情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示す。
【００２６】
好ましくは、前記第1種類のフレームのＭＡＣフレームヘッドは、プロトコルバージョン情報を担持するフィールド、フレームタイプ情報を担持するフィールド、サブタイプ情報を担持するフィールド、フローＩＤ情報を担持するフィールド、及び再送指示情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示し、
前記再送指示情報は、現在のフレームが前フレームの再送フレームであることを示す。
【００２７】
好ましくは、前記第2種類のフレームのＭＡＣフレームヘッドは、プロトコルバージョン情報を担持するフィールド、フレームタイプ情報を担持するフィールド、サブタイプ情報を担持するフィールド、フローＩＤ情報を担持するフィールド、フラグメンテーション番号情報を担持するフィールド、シーケンス番号情報を担持するフィールド、フラグメンテーション指示情報を担持するフィールド、及び長さ情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示し、
前記フラグメンテーション番号情報は、ＭＡＣサービスデータユニットＭＳＤＵまたはＭＡＣ管理プロトコルデータユニットＭＭＰＤＵの各フラグメンテーションの番号を示し、
前記シーケンス番号情報は、ＭＡＣサービスデータユニットＭＳＤＵまたはＭＡＣ管理プロトコルデータユニットＭＭＰＤＵのシーケンス番号を示し、
前記フラグメンテーション指示情報は、後に現在ＭＡＣサービスデータユニットＭＳＤＵまたはＭＡＣ管理プロトコルデータユニットＭＭＰＤＵのフラグメンテーションがあるか否かを示し、
前記長さ情報は、ＭＡＣフレームヘッドフィールドとFCSフィールドの間の全フィールドの総バイト長を示す。
【００２８】
好ましくは、前記第2種類のフレームのＭＡＣフレームヘッドは、プロトコルバージョン情報を担持するフィールド、フレームタイプ情報を担持するフィールド、サブタイプ情報を担持するフィールド、フローＩＤ情報を担持するフィールド、再送指示情報を担持するフィールド、フラグメンテーション番号情報を担持するフィールド、シーケンス番号情報を担持するフィールド、フラグメンテーション指示情報を担持するフィールド、及び長さ情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示し、
前記再送指示情報は、現在のフレームが前フレームの再送フレームであることを示し、
前記フラグメンテーション番号情報は、ＭＡＣサービスデータユニットＭＳＤＵまたはＭＡＣ管理プロトコルデータユニットＭＭＰＤＵの各フラグメンテーションの番号を示し、
前記シーケンス番号情報は、ＭＡＣサービスデータユニットＭＳＤＵまたはＭＡＣ管理プロトコルデータユニットＭＭＰＤＵのシーケンス番号を示し、
前記フラグメンテーション指示情報は、後に現在ＭＡＣサービスデータユニットＭＳＤＵまたはＭＡＣ管理プロトコルデータユニットＭＭＰＤＵのフラグメンテーションがあるか否かを示し、
前記長さ情報は、ＭＡＣフレームヘッドフィールドとＦＣＳフィールドの間の全フィールドの総バイト長を示す。
【００２９】
好ましくは、前記確定モジュールは、さらに、送信待ちの内容により、ＭＰＤＵのタイプを決める。
【００３０】
好ましくは、前記第２生成モジュールは、前記送信待ちの内容により、ＭＰＤＵのフレームボディーをペイロードで充填し、
前記ＭＰＤＵは少なくともＭＡＣフレームヘッドとフレームボディーを含み、前記ペイロードは、1つまたは複数のメディアアクセスコントロールサービスデータユニットＭＳＤＵ、または1つの管理プロトコルデータユニットＭＭＰＤＵ、または1つのＭＳＤＵフラグメンテーション、または1つのＭＭＰＤＵフラグメンテーションを含む。
【００３１】
上記の技術的問題を解決するために、本発明は、少なくともメディアアクセスコントロールＭＡＣフレームヘッドを含むメディアアクセスコントロールプロトコルデータユニットＭＰＤＵを受信するための受信モジュールと、
ＭＡＣフレームヘッドにより前記ＭＰＤＵを解析し、且つ前記ＭＰＤＵのタイプを決めるための解析モジュールとを備える受信装置をさらに提供する。
【００３２】
好ましくは、前記ＭＰＤＵのタイプは、２種類のフレームを含み、該２種類のフレームは、異なる長さのＭＡＣフレームヘッドを有する。
【００３３】
好ましくは、第１種類のフレームのＭＡＣフレームヘッドの長さＬ１と第２種類のフレームのＭＡＣフレームヘッドの長さＬ２はいずれも固定値であり、Ｌ１はＬ２より小さい。
【００３４】
好ましくは、前記第1種類のフレームのＭＡＣフレームヘッドは、プロトコルバージョン情報を担持するフィールド、フレームタイプ情報を担持するフィールド、サブタイプ情報を担持するフィールド、及びフローＩＤ情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示す。
【００３５】
好ましくは、前記第１種類のフレームのＭＡＣフレームヘッドは、フレームタイプ情報を担持するフィールド、サブタイプ情報を担持するフィールド、プロトコルバージョン情報を担持するフィールド、フローＩＤ情報を担持するフィールド、及び再送指示情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示し、
前記再送指示情報は、現在のフレームが前フレームの再送フレームであることを示す。
【００３６】
好ましくは、前記第２種類のフレームのＭＡＣフレームヘッドは、プロトコルバージョン情報を担持するフィールド、フレームタイプ情報を担持するフィールド、サブタイプ情報を担持するフィールド、フローＩＤ情報を担持するフィールド、フラグメンテーション番号情報を担持するフィールド、シーケンス番号情報を担持するフィールド、フラグメンテーション指示情報を担持するフィールド、及び長さ情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示し、
前記フラグメンテーション番号情報は、ＭＡＣサービスデータユニットＭＳＤＵまたはＭＡＣ管理プロトコルデータユニットＭＭＰＤＵの各フラグメンテーションの番号を示し、
前記シーケンス番号情報は、ＭＡＣサービスデータユニットＭＳＤＵまたはＭＡＣ管理プロトコルデータユニットＭＭＰＤＵのシーケンス番号を示し、
前記フラグメンテーション指示情報は、後に現在ＭＡＣサービスデータユニットＭＳＤＵまたはＭＡＣ管理プロトコルデータユニットＭＭＰＤＵのフラグメンテーションがあるか否かを示し、
前記長さ情報は、ＭＡＣフレームヘッドフィールドとＦＣＳフィールドの間の全フィールドの総バイト長を示す。
【００３７】
好ましくは、前記第２種類のフレームのＭＡＣフレームヘッドは、フレームタイプ情報を担持するフィールド、サブタイプ情報を担持するフィールド、プロトコルバージョン情報を担持するフィールド、フローＩＤ情報を担持するフィールド、再送指示情報を担持するフィールド、フラグメンテーション番号情報を担持するフィールド、シーケンス番号情報を担持するフィールド、フラグメンテーション指示情報を担持するフィールド、及び長さ情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示し、
前記再送指示情報は、現在のフレームが前フレームの再送フレームであることを示し、
前記フラグメンテーション番号情報は、ＭＡＣサービスデータユニットＭＳＤＵまたはＭＡＣ管理プロトコルデータユニットＭＭＰＤＵの各フラグメンテーションの番号を示し、
前記シーケンス番号情報は、ＭＡＣサービスデータユニットＭＳＤＵまたはＭＡＣ管理プロトコルデータユニットＭＭＰＤＵのシーケンス番号を示し、
前記フラグメンテーション指示情報は、後に現在ＭＡＣサービスデータユニットＭＳＤＵまたはＭＡＣ管理プロトコルデータユニットＭＭＰＤＵのフラグメンテーションがあるか否かを示し、
前記長さ情報は、ＭＡＣフレームヘッドフィールドとFCSフィールドの間の全フィールドの総バイト長を示す。
【００３８】
好ましくは、前記ＭＰＤＵはフレームボディーをさらに含み、前記解析モジュールは、さらに、フレームボディーを解析し、その中からペイロードを抽出し、前記ペイロードは、１つまたは複数のメディアアクセスコントロールサービスデータユニットＭＳＤＵ、または1つの管理プロトコルデータユニットＭＭＰＤＵ、または１つのＭＳＤＵフラグメンテーション、または1つのＭＭＰＤＵフラグメンテーションを含む。
【００３９】
本発明によれば、ＭＰＤＵに対する汎用のＭＡＣフレームヘッドの設計を採用し、機能が完全で、構造が簡潔で、実現と拡張し易いシグナリングフォーマットを実現し、新しく定義される中・短距離無線通信システムに適用し、且つ処理の複雑度を低下させ、処理を簡単・安定にし、解析に便利であり、システム性能に対する要求が高くなく、システムオーバーヘッドを低下させ、サービスの有効的な伝送を実現し、エア・インタフェース資源の利用率を向上させる。
【００４０】
上記及び関連の目的を実現するために、１つ又は複数の実施例において、後で詳しく説明し且つ請求の範囲で特に指摘する特徴を含んでいる。以下の説明、図面は例示的な面を詳しく説明し、且つ以下の説明、図面に記載されているものは各実施例の原則的に利用可能な各種方式における一部の方式のみである。その他の利点及び新規性特徴は下記の詳しい説明に合わせて、図面を結合して考慮すると明確になり、開示された実施例は、これらの面及びそれらの同等を全て含むものである。
【図面の簡単な説明】
【００４１】
【図１】図１は、本発明の実施例１に係る中・短距離無線通信システムのシステム構成を示す図である。
【図２】図２は、本発明の実施例１に係る中・短距離無線通信システムのＰＨＹ層フレーム構造である。
【図３】図３は、本発明の実施例１に係る中・短距離無線通信システムにおける端末及びアクセスポイントのプロトコル構成を示す図である。
【図４】図４は、本発明の実施例１に係る中・短距離無線通信システムにおけるＳＴＡ及びＣＡＰのプロトコルデータ送信及び受信を示す図である。
【図５】図５は、本発明の実施例１に係る中・短距離無線通信システムにおけるＭＡＣ層機能構造を示す図である。
【図６】図６は、本発明の実施例１に係るＭＡＣフレーム構造を示す図である。
【図７】図７は、本発明の実施例１に係る別のＭＡＣフレーム構造を示す図である。
【図８】図８は、本発明の実施例１に係る更に別のＭＡＣフレーム構造を示す図である。
【図９】図９は、本発明の実施例２に係る無線通信方法のフローを示す図である。
【図１０】図１０は、本発明の実施例３に係る無線通信方法のフローを示す図である。
【図１１】図１１は、本発明の実施例４に係るＭＡＣフレーム構造を示す図である。
【図１２】図１２は、本発明の実施例４に係るフレームコントロールフィールドの構造を示す図である。
【図１３】図１３は、本発明の実施例５に係る別のフレームコントロールフィールドの構造を示す図である。
【図１４】図１４は、本発明の実施例６に係る別のＭＡＣフレーム構造を示す図である。
【図１５】図１５は、本発明の実施例７に係る送信装置の構造を示す図である。
【図１６】図１６は、本発明の実施例８に係る受信装置の構造を示す図である
【発明を実施するための形態】
【００４２】
当業者が本発明の具体的な実施方式を実施できるように、以下の記述及び図面はそれらを十分に示している。その他の実施方式は構成、論理、電気、過程及びその他の変更を含むことができる。実施例は可能な変更のみを代表している。明確な要求がない限り、単独な部品及び機能は選択でき、且つ動作の順は変更できる。一部の実施形態の部分及び特徴はその他の実施形態の部分及び特徴に含まれる、又は置き換えられる。本発明の実施形態の範囲は、請求の範囲の全部範囲、及び請求の範囲の全ての取得できる等価物を含む。本文において、本発明のこれらの実施形態は、単独的又は総括的に「発明」という用語により表される。これは、便利にするために過ぎない。そして、事実上、１個以上の発明が開示されても、該応用の範囲が任意の単独な発明又は発明思想に自動的に規制するものではない。
【００４３】
下記の専門用語と定義は本発明に適用する。
メディアアクセスコントロール（ＭＡＣ、Media Access Control）；
ＭＡＣプロトコルデータユニット（ＰＤＵ、Protocol Data Unit）ＭＰＤＵ：
２つの対等ＭＡＣ実体の間でＰＨＹ層サービスを利用して交換されるデータユニットである；
ＭＡＣ管理プロトコルデータユニット（ＭＰＤＵ、Management Protocol Data Unit）ＭＭＰＤＵ：
２つの対等ＭＡＣ実体の間でＭＡＣ管理プロトコルを実現して交換されるデータユニットである；
ＭＡＣサービスデータユニット（ＳＤＵ、Service Data Unit）ＭＳＤＵ ：
ＭＡＣサービスアクセスポイント（ＳＡＰ）の間でユニットとして転送する情報である；
物理層（ＰＨＹ、Physical layer）；
プロトコルデータユニット（ＰＤＵ、プロトコルデータユニット）；
センターアクセスポイント（ＣＡＰ、Central Access Point）：アクセスされるステーションにアクセスサービスの実体を提供する；
ステーション（ＳＴＡ、Station）：
ＭＡＣとＰＨＹの機能インタフェースを備え、ＣＡＰと通信できる端末設備である；
フローＩＤ（ＦＩＤ、FLOW ID）；
フレームチェックシーケンス （ＦＣＳ、Frame Check Sequence）；
マルチ入力マルチ出力（ＭＩＭＯ、Multiple Input Multiple Output）；
直交周波数分割多重方式（ＯＦＤＭ、Orthogonal Frequency Division Multiplexing）；
サービス品質（ＱｏＳ、Quality Of Service）；
物理層（ＰＨＹ、Physical layer）；
自動再送要求（ＡＲＱ、Automatic Repeat Request）。
【００４４】
実施例１
本発明の実施例１において、新しく定義される中・短距離無線通信システムを提供する。
【００４５】
１．中・短距離無線通信システムのプロトコル構造
システムの参考モデルは図１に示すように、各層の主な機能は下記の通りである。
ＭＡＣ層はアダプテーションサブ層とＭＡＣサブ層を含む。
アダプテーションサブ層：主に外部ネットワークデータとＭＡＣサービスデータユニット（ＭＳＤＵ）の間のマッピングと転換の機能を提供する； 
ＭＡＣサブ層：メディアアクセスコントロール機能を担う以外、システムに対する管理と制御及びＰＨＹの特定機能に対するサポートを含む。
ＰＨＹ層：主にＭＡＣ層プロトコルデータユニット（ＭＰＤＵ）を相応する物理チャンネルにマッピングするPHY伝送メカニズムを提供し、直交周波数分割多重方式（ＯＦＤＭ）とマルチ入力マルチ出力（ＭＩＭＯ）技術を利用する。
【００４６】
ＭＡＣ層は高層と送受ＰＨＹ層の間に位置する中間層で、複数のユーザー間の割り当てと共有物理層の伝送資源を管理・制御する。中・短距離無線通信システムにおいて、マルチメディアサービスのサービス品質ＱｏＳ保証をサポートし、効率的な伝送を保証するために、効率的なＭＡＣプロトコル設計から離れられない。従って、本発明は主に高速度・高データスループットシステムのＭＡＣ処理に使用されるものに関わる。
【００４７】
ＭＡＣ層ユニットとＰＨＹユニットは、高データスループットの中・短距離無線通信システムを実現するためのキー要素となる。下記は主に中・短距離高速無線通信システムに適用するＭＡＣ層ユニット設計を説明する。
【００４８】
図２を参照し、当該図は新しく定義される中・短距離無線通信システムのＰＨＹ層フレーム構造を示し、フレーム構造の中の各サブチャンネルの定義は表１に示す。
【００４９】
【表１】
2014511077.tif 000003
【００５０】
通常、中・短距離無線通信システムアクセスシステムはセンターアクセスポイント（ＣＡＰ）と端末（ＳＴＡ）から構成られ、その内、端末は既存の各種データ設備、例えば、 ＰＤＡ、ノートパソコン、カメラ、ビデオカメラなどを含む。図３に示すように、端末ＳＴＡ１と端末ＳＴＡ２はエアインターフェースプロトコルを通じてＣＡＰにアクセスし、ＣＡＰは有線または無線を通じて既存の外部ネットワーク（例えば、ＩＰバックボーンインターネット、イーサネット（登録商標））と通信する。その内、ＣＡＰのプロトコル構造はエアアクセス層より構成され、ＭＡＣ層とＰＨＹ層を含む。ＳＴＡプロトコル構成はアプリケーション層（Application）、伝送コントロール層(ＴＣＰ)、ネットワーク層（ＩＰ 層）、ＭＡＣ層とＰＨＹ層より構成される。
【００５１】
図４は、当該プロトコル構成に基づき、ＳＴＡとＣＡＰの間でプロトコルデータの送信と受信の過程の模式図を示し、例えば、ＳＴＡはデータをＣＡＰへ送信する場合、ＳＴＡはまずアプリデータ（例えば、ＶｏＩＰ、ビデオなど）をアプリ層、ＴＣＰ／ＩＰ層を介して処理してパックし、ＩＰパケットの形式でＩＰアダプテーション層に送信し、ＩＰアダプテーション層より転換やマッピングを行い、ＭＡＣ層に送信し、ＭＡＣ層は断片化、符号化、フレーム整合、集合などの操作によりＰＨＹ層へ送信し、最後はＰＨＹより無線チャンネルにマッピングし、データ伝送を行う。
【００５２】
２．ＭＡＣ層のユニット機能設計
ＭＡＣ層は複数のユーザーの間で物理層の伝送資源の割り当てと共有物理層の伝送資源を管理・制御する。当該部分において、マルチメディアサービスのＱｏＳ保証や効率的な伝送をサポートするために、本部分で定義されるＭＡＣ層に下記の特徴がある。
−システムはマルチユーザースケジューリングに向ける集中コントロールアーキテクチャを使用する；
−システムＭＡＣ層は接続に向けるサービスを提供し、異なる優先順位サービスのＱｏＳをサポートする。
【００５３】
図５に、中・短距離無線通信システムのＭＡＣサブ層ユニット機能構造の模式図を示す。
ＭＡＣ層は２つの部分に分けられ、アダプテーションサブ層とＭＡＣサブ層である。
アダプテーションサブ層
ＭＡＣ層は２つの部分に分けられ、アダプテーションサブ層とＭＡＣサブ層である。その内、アダプテーションサブ層はＭＡＣサブ層が提供するサービスを使用する。アダプテーションサブ層が完成する機能は下記の通りである。
上層からのサービスデータユニット(ＳＤＵ)を受信する；
受信される上層ＳＤＵに対して分類する；
本層で生成するアダプテーションサブ層のＰＤＵをＭＡＣサブ層へ送信する；
対等実体の中のアダプテーションサブ層のＳＤＵを受信する。
ＭＡＣサブ層
ＭＡＣサブ層の基本機能は管理コントロールプレーンとデータプレーンに分けられる。
管理コントロールプレーンは下記の機能を含む。
システム配置：システムの配置メッセージを管理し、端末とシステム配置情報と交換する。
無線資源管理：主にサービススケジューリング機能を完成し、サービスパラメーターとチャンネル条件に基づいて資源の割り当てを完成し、負荷バランス、アクセスコントロールなどの機能を備える。
ネットワークアクセス管理：初期化とアクセスフローを担当し、アクセスフローに必要なメッセージを生成し、アクセスコード選択、能力協商などを含む。
ＱｏＳ管理：サービスのＱｏＳパラメーターを管理し、且つ各サービスフローの作成、修正と削除などをメンテナンスする。
節電管理：サービス無しのＳＴＡがスリープ状態に入り、スリープ状態からアクティベーション状態に戻ることを管理する。
ＰＨＹ層のコントロール：主に下記のサブ機能を含む。
チャンネル管理： チャンネル切替、スペクトル測定管理とメッセージ報告を含む；
ＭＩＭＯ管理： チャンネル探査メカニズム、ＭＩＭＯ動作モードの確定と選択、リンク適応、ＣＱＩ測定とフィードバック、ＭＣＳ選択とフィードバック、電力をコントロール・管理する。
【００５４】
データプレーンは下記の機能を含む。
自動再送要求（ＡＲＱ）：ＭＡＣ層のＭＰＤＵまたは断片化／集合ＭＰＤＵに対する確認と再送動作を行う；
断片化/再構成：スケジューリング結果端末により、上層サービスデータユニットを断片化・処理して、次の処理モジュールに送信し、受信側で複数のフラグメンテーションを再構成・回復する；
ＭＰＤＵ生成：上層のサービスユニットを基本的なＭＡＣフレームにパッケージし、次の処理モジュールに送信する；
ＭＰＤＵ集合：スケジューリング結果により、送信端が上層サービスデータユニットに対して集合操作を行う。
【００５５】
３．ＭＡＣフレーム構造
上記の定義される中・短距離無線通信システムのＭＡＣサブ層ユニットにおける各モジュールの機能を実現するために、本発明は高速・大容量の伝送データネットワークに適用するＭＡＣ プロトコルデータユニット（ＭＰＤＵ）を設計し、異なる機能のＭＰＤＵの間の交互を通じて、当該システムにおける各モジュールの機能を実現し、当該中・短距離無線通信システムの機能を実現する。
【００５６】
Ｎ層プロトコルの間で転送するデータをサービスデータユニット（ＳＤＵ、Service Data Unit）と称し、Ｎ層プロトコル実体の間で転送するデータをプロトコルデータユニット（ＰＤＵ、Protocol Data Unit）と称する。
【００５７】
ＭＰＤＵは通信双方間に適用し、つまり送信側と受信側の間で、無線通信に使用される。送信側とは、例えば、本発明に係るＣＡＰまたはＳＴＡで、受信側とは、例えば、本発明に係るＣＡＰまたはＳＴＡである。通信双方は事前にＭＰＤＵのフレームフォーマットを協商し、毎回通信するとき、送信側は事前に協商されたＭＰＤＵの各フィールドにアサインし、ＭＰＤＵを取得して送信し、受信側がＭＰＤＵを受信してから解析し、双方の通信を実現する。
【００５８】
本発明で設計するＭＰＤＵは高速、大容量データ伝送に対するフレーム構造である。図６はＭＰＤＵがＭＡＣ層でパッケージするフレームフォーマットを示す。図６に示すように、各ＭＰＤＵは３つの部分に分けられる。第１部分は固定長の汎用ＭＡＣフレームヘッドであり、第２部分はフレームボディーで、ＭＰＤＵが持つペイロードを担持するものであり、第３部分はフレームチェックシーケンス （ＦＣＳ、Frame Check Sequence）情報である。ＭＡＣフレームの中の全フィールドが含むビットは低から高の順で番号をつけ、低から高の順で物理層へ送信する。１つのバイトの中のビットは左（ＬＳＢ）から右(ＭＳＢ)への順で物理層に伝送する。同一フィールドの中で含むビットは低から高の順で１０進数に対応する。例えば、b9-b11=000は０に対応し、b9-b11=001は４に対応する。
【００５９】
ＭＡＣフレームヘッドとは、ＭＰＤＵの中の、フレームボディーとＦＣＳを除く部分である。
その内、第２部分フレームボディーはＭＰＤＵが持つペイロード、つまり、伝送必要があるデータまたは管理メッセージの内容を担持するものである。ペイロードは１つまたは複数のメディアアクセスコントロールサービスデータユニッＭＳＤＵ、または1つの管理プロトコルデータユニットＭＭＰＤＵ、または１つのＭＳＤＵフラグメンテーション、または１つのＭＭＰＤＵフラグメンテーションを含む。中・短距離無線通信システムにはペイロードの長さが固定または可変である可能性もあるため、ＭＰＤＵ全体の長さも固定または可変である。フレームボディーフィールドの長さが可変である場合、最小フレームボディーの長さは０バイトで、最大フレームボディーの長さは４０９５バイトである。これは、中・短距離無線通信システムのＭＡＣが、担持するメッセージの具体的なフォーマットまたはビットコードのモードを了解する必要がなく、いずれの上位層サービスタイプを処理できるようにする。また、中・短距離無線通信システムにおけるＭＰＤＵの中のペイロードは選択可能である。ある管理コントロールフレームに対して、フレームボディーを含まないＭＡＣフレームヘッド部分のみ出現することが可能であり、図７に示すように、ＭＡＣフレームヘッドとＦＣＳのみを含み、または図8に示すように、ＭＡＣフレームヘッドのみを含む。
【００６０】
その内、フレームチェックシーケンスFCSフィールドはフレームチェックに使用される。
ＦＣＳフィールドは長さが３２ビットであるフィールドで、１つの３２ビットＣＲＣを含む。ＦＣＳはＭＡＣフレームヘッドとフレームボディーの全てのフィールドにより計算して得られるものである。
【００６１】
ＦＣＳは下記の３２乗方標準多項式を利用して計算したものである：
G(x)=x32 + x26 + x23 + x22 + x16 + x12+x11+x10+x8+x7+x５+x4+x2+x+1
レジスタの初期状態は0xFFFFFFFFで、演算終了後、レジスタ状態の逆を取ってFCSフィールドとして出力する。ＦＣＳフィールドは高から低へのバイトの順で送信する。
【００６２】
実施例２
本発明の実施例２は無線通信方法を提案し、図９に示すように、当該方法は下記のものを含む。
【００６３】
ステップＳ１０１、ＭＰＤＵのタイプによりＭＡＣフレームヘッドのタイプを決める。
【００６４】
好ましくは、発送待ちの内容により、ＭＰＤＵのタイプを決める。
【００６５】
好ましくは、発送待ちの内容は上層プロトコルデータユニットまたはＭＡＣ層管理メッセージを含む。
【００６６】
ステップＳ１０２には、ＭＡＣフレームヘッドの中の機能フィールドにアサインし、ＭＡＣフレームヘッドを生成する。
【００６７】
好ましくは、ＭＰＤＵのタイプは２種類のフレームを含み、当該２種類のフレームは異なる長さのＭＡＣフレームヘッドがある。
【００６８】
好ましくは、第１種類のフレームのＭＡＣフレームヘッドの長さＬ１と第２種類のフレームのＭＡＣフレームヘッドの長さＬ２はいずれも固定値であり、その内、Ｌ１はＬ２より小さい。
【００６９】
好ましくは、第１種類のフレームのＭＡＣフレームヘッドはフレームタイプ情報を担持するフィールド、サブタイプ情報を担持するフィールド、プロトコルバージョン情報を担持するフィールド、及びフローＩＤ情報を担持するフィールドより構成されており、その内、
プロトコルバージョン情報は現在標準のプロトコルバージョンを示し、
フレームタイプ情報とサブタイプ情報はフレームの機能タイプを示し、
フローＩＤ情報は現在フレームが所属する特定のアップリンクまたはダウンリンクのサービスフローを示す。
【００７０】
好ましくは、第１種類フレームのＭＡＣフレームヘッドはフレームタイプ情報を担持するフィールド、サブタイプ情報を担持するフィールド、プロトコルバージョン情報を担持するフィールド、フローＩＤ情報を担持するフィールド、及び再送指示情報を担持するフィールドより構成されており、その内、
再送指示情報は現在のフレームが前フレームの再送フレームであることを示す。
【００７１】
好ましくは、第２種類フレームのＭＡＣフレームヘッドはフレームタイプ情報を担持するフィールド、サブタイプ情報を担持するフィールド、プロトコルバージョン情報を担持するフィールド、フローＩＤ情報を担持するフィールド、フラグメンテーション番号情報を担持するフィールド、番号情報を担持するフィールド、フラグメンテーション指示情報を担持するフィールド、及び長さ情報を担持するフィールドより構成されており、その内、
フラグメンテーション番号情報はＭＡＣサービスデータユニットＭＳＤＵまたはＭＡＣ管理プロトコルデータユニットＭＭＰＤＵの各フラグメンテーション番号を示し、
シーケンス情報はＭＡＣサービスデータユニットＭＳＤＵまたはＭＡＣ管理プロトコルデータユニットＭＭＰＤＵのシーケンス番号を示し、
フラグメンテーション指示情報、後に現在ＭＡＣサービスデータユニットＭＳＤＵまたはＭＡＣ管理プロトコルデータユニットＭＭＰＤＵのフラグメンテーションがあるか否かを示し、
長さ情報はＭＡＣフレームヘッドフィールドとＦＣＳフィールド間の全フィールドの総バイト長を示す。
【００７２】
好ましくは、第２種類フレームのＭＡＣフレームヘッドはフレームタイプ情報を担持するフィールド、サブタイプ情報を担持するフィールド、プロトコルバージョン情報を担持するフィールド、フローＩＤ情報を担持するフィールド、再送指示情報を担持するフィールド、フラグメンテーション番号情報を担持するフィールド、シーケンス番号情報を担持するフィールド、フラグメンテーション指示情報を担持するフィールド、及び長さ情報を担持するフィールドより構成される。
その内、フレームタイプ情報とサブタイプ情報は同一のフィールドに負荷できるし、異なるフィールドに負荷できる。
ステップＳ１０３では、少なくともＭＡＣフレームヘッドを含むＭＰＤＵを生成する。
ステップＳ１０４では、ＭＰＤＵをパッケージして送信する。
【００７３】
好ましくは、ステップＳ１０２は、ＭＡＣフレームヘッドによりＭＰＤＵのＣＲＣ情報を決め、フレームチェックシーケンス ＦＣＳを取得することを含み、ステップS103で生成するＭＰＤＵは少なくともＭＡＣフレームヘッドとＦＣＳを含む。
ある実施例では、無線通信方法も提供し、下記のものを含む。
ステップＳ２０１では、ＭＰＤＵのタイプによりＭＡＣフレームヘッドのタイプを決める。
【００７４】
好ましくは、送信待ちの内容によりＭＰＤＵのタイプを決めることを更に含む。
ステップＳ２０２では、ＭＡＣフレームヘッドの中の機能フィールドに対してアサインし、ＭＡＣフレームヘッドを生成する。
送信待ちの内容により、ＭＰＤＵのフレームボディーにペイロードで充填する。
その内、ＭＡＣフレームヘッドの構成構造は、実施例１における説明と同じで、ここでは繰り返して説明しない。
その内、ペイロードは１つまたは複数のメディアアクセスコントロールサービスデータユニットＭＳＤＵ、または１つの管理プロトコルデータユニットＭＭＰＤＵ、または１つのＭＳＤＵフラグメンテーション、または1つのＭＭＰＤＵフラグメンテーションを含む。
ステップＳ２０３では、少なくともＭＡＣフレームヘッドとフレームボディーを含むＭＰＤＵを生成する。
【００７５】
好ましくは、ステップＳ２０２は、ＭＡＣフレームヘッドとフレームボディーにより、ＭＰＤＵのＣＲＣ情報を決め、ＦＣＳを取得することをさらに含み、ステップＳ２０３で生成される ＭＰＤＵは少なくともＭＡＣフレームヘッドとFCSを含む。
実施例３
本発明の実施例３は無線通信方法を提案し、図１０に示すように、下記のものを含む。
【００７６】
ステップＳ３０１では、メディアアクセスコントロールプロトコルデータユニットＭＰＤＵを受信し、当該ＭＰＤＵは少なくともＭＡＣフレームヘッドを含む。
【００７７】
好ましくは、当該ＭＰＤＵは少なくともＭＡＣフレームヘッドとフレームボディーを含む。
ステップＳ３０２では、前記ＭＡＣフレームヘッドにより前記ＭＰＤＵを解析し、前記ＭＰＤＵのタイプを決める。
【００７８】
好ましくは、ＭＰＤＵのタイプは２種類のフレームを含み、当該２種類のフレームは異なる長さのＭＡＣフレームヘッドがある。
【００７９】
好ましくは、第１種類のフレームのＭＡＣフレームヘッドの長さＬ１と第２種類のフレームのＭＡＣフレームヘッドの長さＬ２はいずれも固定値であり、Ｌ１はＬ２より小さい。
【００８０】
好ましくは、第１種類のフレームのＭＡＣフレームヘッドはフレームタイプ情報を担持するフィールド、サブタイプ情報を担持するフィールド、プロトコルバージョン情報を担持するフィールド、及びフローＩＤ情報を担持するフィールドより構成されており、その内、
プロトコルバージョン情報は現在標準のプロトコルバージョン番号を示し、
フレームタイプ情報とサブタイプ情報はフレームの機能タイプを示し、
フローＩＤ情報はアップリンクまたはダウンリンクのサービスフローを示す。
【００８１】
好ましくは、第１種類のフレームのＭＡＣフレームヘッドはフレームタイプ情報を担持するフィールド、サブタイプ情報を担持するフィールド、プロトコルバージョン情報を担持するフィールド、フローＩＤ情報を担持するフィールド、及び再送指示情報を担持するフィールドより構成される。
【００８２】
再送指示情報は現在のフレームが前フレームの再送フレームであることを示す。
【００８３】
好ましくは、第２種類のフレームのＭＡＣフレームヘッドはフレームタイプ情報を担持するフィールド、サブタイプ情報を担持するフィールド、プロトコルバージョン情報を担持するフィールド、フローＩＤ情報を担持するフィールド、フラグメンテーション番号情報を担持するフィールド、シーケンス番号情報を担持するフィールド、フラグメンテーション指示情報を担持するフィールド、及び長さ情報を担持するフィールドより構成されており、その内、
フラグメンテーション番号情報はＭＡＣサービスデータユニットＭＳＤＵまたはＭＡＣ管理プロトコルデータユニットＭＭＰＤＵの各フラグメンテーションの番号を示し、
シーケンス番号情報はＭＡＣサービスデータユニットＭＳＤＵまたはＭＡＣ管理プロトコルデータユニットＭＭＰＤＵのシーケンス番号を示し、
フラグメンテーション指示情報は後に現在ＭＡＣサービスデータユニットＭＳＤＵまたはＭＡＣ管理プロトコルデータユニットＭＭＰＤＵのフラグメンテーションがあるか否かを示し、
長さ情報はＭＡＣフレームヘッドフィールドとＦＣＳフィールド間の全フィールドの総バイト長を示す。
【００８４】
好ましくは、第２種類のフレームのＭＡＣフレームヘッドはフレームタイプ情報を担持するフィールド、サブタイプ情報を担持するフィールド、プロトコルバージョン情報を担持するフィールド、フローＩＤ情報を担持するフィールド、再送指示情報を担持するフィールド、フラグメンテーション番号情報を担持するフィールド、シーケンス番号情報を担持するフィールド、フラグメンテーション指示情報を担持するフィールド、及び長さ情報を担持するフィールドより構成される。
その内、フレームタイプ情報とサブタイプ情報は同一のフィールドに負荷できるし、異なるフィールドにも負荷できる。
【００８５】
好ましくは、ＭＰＤＵが少なくともＭＡＣフレームヘッドとフレームボディーを含む場合、ステップＳ３０２はＭＡＣフレームボディーを解析することを更に含み、フレームボディーからペイロードを抽出する。
【００８６】
その内、ペイロードは1つまたは複数のメディアアクセスコントロールサービスデータユニットＭＳＤＵ、または1つの管理プロトコルデータユニットＭＭＰＤＵ、または1つのＭＳＤＵフラグメンテーション、または１つのＭＭＰＤＵフラグメンテーションを含む。
好ましくは、ＭＰＤＵがＦＣＳを持つ場合、長さ情報によりＦＣＳを位置合わせ、ＦＣＳによりＭＡＣフレームヘッドとフレームボディーに対してＣＲＣチェックを行うステップをさらに含む。
【００８７】
当該長さ情報はＭＰＤＵが持つ長さ情報またはシステムの中で事前に設定される長さ情報であり、その内、
タイプがシーケンスがある管理コントロールフレームである場合、当該長さ情報はＭＰＤＵが持つ長さ情報であり、シーケンス番号がない管理コントロールフレームである場合、当該長さ情報はシステムが事前に設定する長さ情報である。
【００８８】
以下、異なる状況の実施例でＭＰＤＵのフレーム構造に対して詳しく説明する。
【００８９】
実施例４
本発明の実施例４では固定長の汎用ＭＡＣフレームを提供し、図１１に示すように、ＭＡＣフレームヘッド、フレームボディーとＦＣＳフィールドを含み、その内、ＭＡＣフレームヘッドは少なくともフレームコントロールフィールドを含み、現在ＭＰＤＵのコントロール情報を示す。
【００９０】
本発明の実施例における全てのＭＡＣフレームヘッドはフレームコントロールフィールドを含む。
【００９１】
図１２に示すように、フレームコントロールフィールドは具体的には、プロトコルバージョンフィールド、フレームタイプフィールド、サブタイプフィールドとフローＩＤフィールドより構成される。
（１）プロトコルバージョンフィールド
当該フィールドは現在標準のプロトコルバージョンを示し、受信側を相応するＭＡＣプロトコルにより受信側と通信させる。
プロトコルバージョンフィールドの長さは２ビットである。
（２）フレームタイプフィールド
当該フィールドはフレームの機能タイプを標識し、受信側に相応するフレームを識別させる。
フレームタイプは管理コントロールとデータという２つのタイプがある。
フレームタイプフィールドの長さは１ビットである。
（３）サブタイプフィールド
サブタイプフィールドの長さは５ビットである。
当該フィールドとフレームタイプフィールドは共同でフレームの機能タイプを標識する。
各種のフレームタイプはいくつのサブタイプに分けられる。例えば、下記の通り、表２にはタイプとサブタイプの各種の有効的な組み合わせが挙げられている。
【００９２】
【表２】
2014511077.tif 000004
【００９３】
管理コントロールフレームは、シーケンス番号があるコントロールフレームとシーケンス番号がない管理コントロールフレームという２つのタイプを含む。具体的には、下記の通りである。
【００９４】
シーケンス番号がある管理コントロールフレームは、ブロードキャスト情報フレーム、チャンネル状態情報に基づくマルチ入力マルチ出力フィードバックフレーム、ビームフォーミングマトリックスに基づくフィードバックフレーム、チャンネル品質フィードバックフレームを含む。
【００９５】
シーケンス番号がない管理コントロールフレームは、ランダムアクセスリクエストフレーム、ランダムアクセスレスポンスフレーム、端末基本能力協商リクエストフレーム、端末基本能力協商レスポンスフレーム、動的サービス作成リクエストフレーム、動的サービス作成レスポンスフレーム、動的サービス修正リクエストフレーム、動的サービス修正レスポンスフレーム、動的サービス削除リクエストフレーム、動的サービス削除レスポンスフレーム、独立資源リクエストフレーム、確認フレーム、グループ確認リクエストフレーム、グループ確認フレーム、ネットワーククイットフレーム、チャンネル切替通知フレーム、スリープリクエストフレーム、スリープレスポンスフレーム、及びダウンリンクサービス指示フレームを含む。
【００９６】
シーケンス番号がない管理コントロールフレームのフレームフォーマットは図１１に示すように、ＭＡＣフレームヘッド、フレームボディーとＦＣＳを含み、ＭＡＣフレームヘッドはフレームコントロールフィールドを含む。
【００９７】
シーケンス番号がある管理コントロールフレームのフレームフォーマットは図１３に示すように、少なくともＭＡＣフレームヘッドとFCSを含み、好ましくは、フレームボディーをさらに含む。ＭＡＣフレームヘッドはフレームコントロールフィールド、フラグメンテーション番号フィールド、シーケンスフィールド、リザーブフィールド、フラグメンテーション指示フィールドと長さフィールドを含む。
【００９８】
受信側ではフレームタイプフィールドとサブタイプフィールドが設置されたフレームを受信すると、当該ＭＰＤＵは具体的に管理コントロールフレームかデータフレームに属すること、及び具体的にどのサブタイプに属するかが分かる。
（４）フローＩＤフィールド
当該フィールドは現在フレームが所属する特定のアップリンクまたはダウンリンクのサービスフローを標識し、受信側にＭＰＤＵが所属するサービスフローを識別させる。
フローＩＤフィールドの長さは4ビットである。0000は管理コントロールフレームに使用され、0001-1111はデータフレームに使用される。
（５）リザーブフィールド
リザーブフィールドの長さは４ビットである。
当該実施例では、フレームボディはあってもなくてもよい。フレームボディーが固定長である場合、フレームボディーの長さはシステムが事前に設定する長さ値である。
当該実施例では、ＦＣＳフィールドはあってもなくてもよい。図１３はただＦＣＳを４バイトとして例にして説明する。
【００９９】
実施例５
本実施例５の中でＭＡＣフレームヘッドを提供し、フレームコントロールフィールドを含む。図１４に示すように、当該フレームコントロールフィールドはプロトコルタイプ、フレームタイプ、サブタイプ、フローＩＤ、及び再送指示より構成されている。
【０１００】
その内、再送指示フィールドは現在のフレームが前フレームの再送フレームであるかを示し、受信側に新しいフレームと再送フレームの区別をさせる。
【０１０１】
再送指示フィールドの長さは１ビットである。現在のフレームが前フレームの再送フレームである場合、当該フィールドを１に設定し、そうではない場合、０に設定する。
【０１０２】
実施例６
本発明の実施例６は別のＭＡＣフレームを提供する。
【０１０３】
図１３に示すように、ＭＡＣフレームヘッドはフレームコントロールフィールド、フラグメンテーション番号フィールド、シーケンスフィールド、フラグメンテーション指示フィールドと長さフィールドより構成されている。
（１）フレームコントロールフィールド
当該フレームコントロールフィールドでは具体的に含まれる各フィールドは、実施例４と実施例５で説明するものと同じであり、具体的には実施例４と実施例５を参照し、ここでは繰り返して説明しない。
（２）フラグメンテーション番号フィールド
フラグメンテーション番号フィールドの長さは４ビットで、ＭＳＤＵ/ＭＭＰＤＵの各フラグメンテーションの番号を示し、値の範囲は０〜１５である。ＭＳＤＵ/ＭＭＰＤＵに1つフラグメンテーションが１つしかない場合、フラグメンテーション番号は０であり、ＭＳＤＵ/ＭＭＰＤＵに複数のフラグメンテーションがある場合、その初めてのフラグメンテーション番号は０である。同一ＭＳＤＵ/ＭＭＰＤＵの異なるフラグメンテーションのフラグメンテーション番号は1を単位として増える。
（３）シーケンス番号フィールド
シーケンス番号フィールドの長さは１２ビットで、値の範囲は０〜４０９５で、ＭＳＤＵ/ＭＭＰＤＵのシーケンス番号を示す。１つのＦＩＤフローの中で送信される全てのＭＳＤＵ/ＭＭＰＤＵは１つのシーケンスに割り当てられる。初めてのＭＳＤＵ/ＭＭＰＤＵ番号は０で、同一FIDの中で異なるＭＳＤＵ/ＭＭＰＤＵの番号は１を単位として増える。
（４）リザーブフィールド
リザーブフィールドは３ビットで、デフォルトとして０に設定する。
（５）フラグメンテーション指示フィールドは後方にて更に多いフラグメンテーションがあるか否かを示す。
【０１０４】
フラグメンテーション指示フィールドの長さは１ビットである。全てのデータフレームまたはシーケンス番号がある管理コントロールフレームの中で、後に現在ＭＳＤＵ/ＭＭＰＤＵのフラグメンテーションがある場合、当該フィールドが１に設定され、そうではない場合、当該フィールドは０に設定される。
【０１０５】
フラグメンテーション番号フィールドとフラグメンテーション指示フィールドによれば、受信側に相応するフラグメンテーションの再構成の操作を行うかを決めさせることが可能となる。
（６）長さフィールド
長さフィールドは１２ビットで、ＭＡＣヘッドフィールドとＦＣＳフィールド間の全フィールドの総バイト長を表し、受信側に完全なＭＰＤＵを見つけられるようにする。
【０１０６】
当該実施例では、フレームボディーがあってもなくてもよい。フレームボディーは０〜４０９５バイトで、フレームボディーが０である場合、フレームボディーがないことを表す。フレームボディーの長さはＭＡＣフレームヘッドの中の長さフィールドより示す。
当該実施例では、ＦＣＳフィールドはあってもなくてもよい。図１３の中でただＦＣＳを4バイトとして例にして説明する。
実施例７
本発明の実施例７は送信装置を提供し、図１５に示すように、下記のものを含む。
【０１０７】
確定モジュール１１はＭＰＤＵのタイプによりメディアアクセスコントロールＭＡＣフレームヘッドのタイプを確定する。
【０１０８】
好ましくは、確定モジュール１１は、さらに、送信待ちの内容によりＭＰＤＵのタイプを確定する。
【０１０９】
第１生成モジュール１２はＭＡＣフレームヘッドの中の機能フィールドに対してアサインし、ＭＡＣフレームヘッドを生成する。
【０１１０】
第２生成モジュール１３は少なくともＭＡＣフレームヘッドを含むＭＰＤＵを生成する。
送信モジュール１４は当該ＭＰＤＵをパッケージして送信する。
【０１１１】
好ましくは、確定モジュール１１は、さらに、送信待ちの内容によりＭＰＤＵのタイプを確定する。
【０１１２】
好ましくは、第２生成モジュール１３は、さらに、送信待ちの内容によりＭＰＤＵのフレームボディーをペイロードで充填する。ステップＳ２０３で生成する ＭＰＤＵは少なくともＭＡＣフレームヘッドとフレームボディーを含む。その内、ペイロードは1つまたは複数のメディアアクセスコントロールサービスデータユニットＭＳＤＵ、または１つの管理プロトコルデータユニットＭＭＰＤＵ、または１つのＭＳＤＵフラグメンテーション、または1つのＭＭＰＤＵフラグメンテーションを含む。
【０１１３】
好ましくは、第２生成モジュール１３は、更に、ＭＡＣフレームヘッドとフレームボディーによりＭＰＤＵのＣＲＣ情報を決め、ＦＣＳを取得し、ステップＳ２０３で生成する ＭＰＤＵは少なくともＭＡＣフレームヘッドとＦＣＳを含む。
【０１１４】
本発明の実施例７に係る送信装置は、作業原理および関連動作の流れが上記の実施例１〜実施６の無線通信方法の実施方案における内容と基本的に同じで、ここでは繰り返して説明しない。
【０１１５】
実施例８
本発明の実施例８は受信装置を提供し、図１６に示すように、
少なくともメディアアクセスコントロールＭＡＣフレームヘッドを含むメディアアクセスコントロールプロトコルデータユニットＭＰＤＵを受信するための受信モジュール２１と、
前記ＭＡＣフレームヘッドにより前記ＭＰＤＵを解析し、且つ前記ＭＰＤＵのタイプを決めるための解析モジュール２２と、を含む。
【０１１６】
好ましくは、解析モジュール２２は、更に、フレームボディーを解析し、フレームボディーの中からペイロードを抽出し、ペイロードは１つまたは複数のメディアアクセスコントロールサービスデータユニットＭＳＤＵ、または１つの管理プロトコルデータユニットＭＭＰＤＵ、または１つのＭＳＤＵフラグメンテーション、または１つのＭＭＰＤＵフラグメンテーションを含む。
【０１１７】
本発明の実施例８に係る受信装置は、作業原理及び関連動作の流れが上記の実施例１〜実施６の無線通信方法の実施方案における内容と基本的に同じであり、ここでは繰り返して説明しない。
【０１１８】
実施例９
本発明の実施例９は無線通信システムを提供し、実施例７に係る送信装置と実施例８に係る受信装置を含む。
【０１１９】
本発明の実施例９に係る無線通信システムは、作業原理及び関連動作の流れが上記の無線通信方法、送信設備と受信設備の実施方案における内容と基本的に同じで、ここでは繰り返して説明しない。
【０１２０】
本発明の実施例は中・短距離通信システムのみを例として説明したが、中・短距離通信システムに限って適用するわけではない。他の本発明の方法を利用して実現するシステムは保護範囲の中に属する。
【０１２１】
開示におけるステップの特定順序または段階は例示的な方法の実施例である。設計の好みベースで、過程の中のステップの特定順序または段階は、本開示の保護範囲から脱離することなく新たに振り当てることができると理解すべきである。請求の範囲における方法請求項は例示的な順序により各ステップの要素が挙げられるが、記載の特定の順序またはステップに限られることではない。
【０１２２】
前記の詳しい説明では、各特徴を共にシグナル実施形態に組み合わせて、本開示を簡素化するが、このような開示方法を下記の意図の反映に説明するわけではなく、即ち、要求される保護の主題の実施形態は各請求項に明瞭に記載されている特徴よりも多い。その逆に、添付される請求の範囲で反映している通り、本発明は開示されるシグナル実施形態の全ての特徴よりも少ない状態に属する。このため、添付される請求の範囲が特に明瞭に詳細な説明に合弁され、そのうち、各請求項が独自に本発明の独立の好ましい技術案とする。
【０１２３】
前記の記述は１つまたは複数の実施例の例を含む。当然ながら、前記の実施例を説明するために、部品または方法に対するすべての可能な組み合わせの説明は不可能であるが、当業者は各実施例を更に組み合わせ・配列できることを理解すべきである。このため、本文では説明する実施例は、添付される請求の範囲の保護範囲における全てのこのような変更、修正と変形を含む。また、明細書または請求の範囲に使用される「含める」という用語については、当該用語の表現する方式は「含む」という用語と類似し、請求項では接続用語で説明する「含む」の通りである。なお、請求の範囲及び明細書におけるいずれかの「または」という用語は「非排他的なまたは」を表すものである  
【符号の説明】
【０１２４】
１１  確定モジュール
１２  第１生成モジュール
１３  第２生成モジュール
１４  送信モジュール
２１  受信モジュール
２２  解析モジュール
【図１】
2014511077.tif 000005
【図２】
2014511077.tif 000006
【図３】
2014511077.tif 000007
【図４】
2014511077.tif 000008
【図５】
2014511077.tif 000009
【図６】
2014511077.tif 000010
【図７】
2014511077.tif 000011
【図８】
2014511077.tif 000012
【図９】
2014511077.tif 000013
【図１０】
2014511077.tif 000014
【図１１】
2014511077.tif 000015
【図１２】
2014511077.tif 000016
【図１３】
2014511077.tif 000017
【図１４】
2014511077.tif 000018
【図１５】
2014511077.tif 000019
【図１６】
2014511077.tif 000020
【手続補正書】
【提出日】平成25年12月4日(2013.12.4)
【手続補正１】
【補正対象書類名】特許請求の範囲
【補正対象項目名】全文
【補正方法】変更
【補正の内容】
【特許請求の範囲】
【請求項１】
メディアアクセスコントロールプロトコルデータユニットＭＰＤＵのタイプにより、メディアアクセスコントロールＭＡＣフレームヘッドのタイプを決めることと、
ＭＡＣフレームヘッドの中の機能フィールドをアサインし、前記ＭＡＣフレームヘッドを生成することと、
少なくともＭＡＣフレームヘッドを含むＭＰＤＵを生成することと、
前記ＭＰＤＵをパッケージして送信することと
を含むことを特徴とする無線通信方法。
【請求項２】
前記ＭＰＤＵのタイプは、２種類のフレームを含み、該２種類のフレームは、異なる長さのＭＡＣフレームヘッドを有することを特徴とする請求項１に記載の方法。
【請求項３】
第１種類のフレームのＭＡＣフレームヘッドの長さＬ１と第２種類のフレームのＭＡＣフレームヘッドの長さＬ２はいずれも固定値であり、Ｌ１はＬ２より小さいことを特徴とする請求項２に記載の方法。
【請求項４】
前記第１種類のフレームのＭＡＣフレームヘッドは、プロトコルバージョン情報を担持するフィールド、フレームタイプ情報を担持するフィールド、サブタイプ情報を担持するフィールド、及びフローＩＤ情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示すことを特徴とする請求項３に記載の方法。
【請求項５】
前記第１種類のフレームのＭＡＣフレームヘッドは、フレームタイプ情報を担持するフィールド、サブタイプ情報を担持するフィールド、プロトコルバージョン情報を担持するフィールド、フローＩＤ情報を担持するフィールド、及び再送指示情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示し、
前記再送指示情報は、現在のフレームが前フレームの再送フレームであることを示すことを特徴とする請求項３に記載の方法。
【請求項６】
前記第２種類のフレームのＭＡＣフレームヘッドは、プロトコルバージョン情報を担持するフィールド、フレームタイプ情報を担持するフィールド、サブタイプ情報を担持するフィールド、フローＩＤ情報を担持するフィールド、フラグメンテーション番号情報を担持するフィールド、シーケンス番号情報を担持するフィールド、フラグメンテーション指示情報を担持するフィールド、及び長さ情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示し、
前記フラグメンテーション番号情報は、ＭＡＣサービスデータユニットＭＳＤＵまたはＭＡＣ管理プロトコルデータユニットＭＭＰＤＵの各フラグメンテーションの番号を示し、
前記シーケンス番号情報は、ＭＡＣサービスデータユニットＭＳＤＵまたはＭＡＣ管理プロトコルデータユニットＭＭＰＤＵのシーケンス番号を示し、
前記フラグメンテーション指示情報は、後に現在ＭＡＣサービスデータユニットＭＳＤＵまたはＭＡＣ管理プロトコルデータユニットＭＭＰＤＵのフラグメンテーションがあるか否かを示し、
前記長さ情報は、ＭＡＣフレームヘッドフィールドとＦＣＳフィールドの間の全フィールドの総バイト長を示すことを特徴とする請求項３に記載の方法。
【請求項７】
前記第２種類のフレームのＭＡＣフレームヘッドは、フレームタイプ情報を担持するフィールド、サブタイプ情報を担持するフィールド、プロトコルバージョン情報を担持するフィールド、フローＩＤ情報を担持するフィールド、再送指示情報を担持するフィールド、フラグメンテーション番号情報を担持するフィールド、シーケンス番号情報を担持するフィールド、フラグメンテーション指示情報を担持するフィールド、及び長さ情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示し、
前記再送指示情報は、現在のフレームが前フレームの再送フレームであることを示し、
前記フラグメンテーション番号情報は、ＭＡＣサービスデータユニットＭＳＤＵまたはＭＡＣ管理プロトコルデータユニットＭＭＰＤＵの各フラグメンテーションの番号を示し、
前記シーケンス番号情報は、ＭＡＣサービスデータユニットＭＳＤＵまたはＭＡＣ管理プロトコルデータユニットＭＭＰＤＵのシーケンス番号を示し、
前記フラグメンテーション指示情報は、後に現在ＭＡＣサービスデータユニットＭＳＤＵまたはＭＡＣ管理プロトコルデータユニットＭＭＰＤＵのフラグメンテーションがあるか否かを示し、
前記長さ情報は、ＭＡＣフレームヘッドフィールドとＦＣＳフィールドの間の全フィールドの総バイト長を示すことを特徴とする請求項３に記載の方法。
【請求項８】
送信待ちの内容により、前記ＭＰＤＵのタイプを決めることをさらに含むことを特徴とする請求項１に記載の方法。
【請求項９】
前記送信待ちの内容により、前記ＭＰＤＵのフレームボディーをペイロードで充填することをさらに含み、
前記ＭＰＤＵは少なくとも前記ＭＡＣフレームヘッドとフレームボディーを含み、前記ペイロードは、１つまたは複数のメディアアクセスコントロールサービスデータユニットＭＳＤＵ、または１つの管理プロトコルデータユニットＭＭＰＤＵ、または１つのＭＳＤＵフラグメンテーション、または１つのＭＭＰＤＵフラグメンテーションを含むことを特徴とする請求項８に記載の方法。
【請求項１０】
少なくともメディアアクセスコントロールＭＡＣフレームヘッドを含むメディアアクセスコントロールプロトコルデータユニットＭＰＤＵを受信することと、
前記ＭＡＣフレームヘッドにより前記ＭＰＤＵを解析し、且つ前記ＭＰＤＵのタイプを決めることと
を含むこと
を特徴とする無線通信方法。
【請求項１１】
前記ＭＰＤＵのタイプは、２種類のフレームを含み、該２種類のフレームは、異なる長さのＭＡＣフレームヘッドを有することを特徴とする請求項１０に記載の方法。
【請求項１２】
第１種類のフレームのＭＡＣフレームヘッドの長さＬ１と第２種類のフレームのＭＡＣフレームヘッドの長さＬ２はいずれも固定値であり、Ｌ１はＬ２より小さいことを特徴とする請求項１１に記載の方法。
【請求項１３】
前記第１種類のフレームのＭＡＣフレームヘッドは、プロトコルバージョン情報を担持するフィールド、フレームタイプ情報を担持するフィールド、サブタイプ情報を担持するフィールド、及びフローＩＤ情報を担持するフィールドより構成されており、または
前記第１種類のフレームのＭＡＣフレームヘッドは、プロトコルバージョン情報を担持するフィールド、フレームタイプ情報を担持するフィールド、サブタイプ情報を担持するフィールド、フローＩＤ情報を担持するフィールド、及び再送指示情報を担持するフィールドより構成されており、または
前記第２種類のフレームのＭＡＣフレームヘッドは、プロトコルバージョン情報を担持するフィールド、フレームタイプ情報を担持するフィールド、サブタイプ情報を担持するフィールド、フローＩＤ情報を担持するフィールド、フラグメンテーション番号情報を担持するフィールド、シーケンス番号情報を担持するフィールド、フラグメンテーション指示情報を担持するフィールド、及び長さ情報を担持するフィールドより構成されており、または
前記第２種類のフレームのＭＡＣフレームヘッドは、フレームタイプ情報を担持するフィールド、サブタイプ情報を担持するフィールド、プロトコルバージョン情報を担持するフィールド、フローＩＤ情報を担持するフィールド、再送指示情報を担持するフィールド、フラグメンテーション番号情報を担持するフィールド、シーケンス番号情報を担持するフィールド、フラグメンテーション指示情報を担持するフィールド、及び長さ情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示し、
前記再送指示情報は、現在のフレームが前フレームの再送フレームであることを示し、
前記フラグメンテーション番号情報は、ＭＡＣサービスデータユニットＭＳＤＵまたはＭＡＣ管理プロトコルデータユニットＭＭＰＤＵの各フラグメンテーションの番号を示し、
前記シーケンス番号情報は、ＭＡＣサービスデータユニットＭＳＤＵまたはＭＡＣ管理プロトコルデータユニットＭＭＰＤＵのシーケンス番号を示し、
前記フラグメンテーション指示情報は、後に現在ＭＡＣサービスデータユニットＭＳＤＵまたはＭＡＣ管理プロトコルデータユニットＭＭＰＤＵのフラグメンテーションがあるか否かを示し、
前記長さ情報は、ＭＡＣフレームヘッドフィールドとＦＣＳフィールドの間の全フィールドの総バイト長を示すこと
を特徴とする請求項１２に記載の方法。
【請求項１４】
前記ＭＰＤＵはフレームボディーをさらに含み、
前記方法は、フレームボディーを解析し、その中からペイロードを抽出することをさらに含み、その内、前記ペイロードは、１つまたは複数のメディアアクセスコントロールサービスデータユニットＭＳＤＵ、または１つの管理プロトコルデータユニットＭＭＰＤＵ、または１つのＭＳＤＵフラグメンテーション、または１つのＭＭＰＤＵフラグメンテーションを含むこと
を特徴とする請求項１０に記載の方法。
【請求項１５】
メディアアクセスコントロールプロトコルデータユニットＭＰＤＵのタイプにより、メディアアクセスコントロールＭＡＣフレームヘッドのタイプを決めるための確定モジュールと、
ＭＡＣフレームヘッドの中の機能フィールドのアサインに使用され、ＭＡＣフレームヘッドを生成するための第１生成モジュールと、
少なくともＭＡＣフレームヘッドを含むＭＰＤＵを生成するための第2生成モジュールと、
前記ＭＰＤＵをパッケージして送信するための送信モジュールと
を備えたことを特徴とする送信装置。
【請求項１６】
前記ＭＰＤＵのタイプは、２種類のフレームを含み、該２種類のフレームは、異なる長さのＭＡＣフレームヘッドを有し、
第１種類のフレームのＭＡＣフレームヘッドの長さＬ１と第２種類のフレームのＭＡＣフレームヘッドの長さＬ２はいずれも固定値であり、Ｌ１はＬ２より小さいことを特徴とする請求項１５に記載の装置。
【請求項１７】
前記第１種類のフレームのＭＡＣフレームヘッドは、プロトコルバージョン情報を担持するフィールド、フレームタイプ情報を担持するフィールド、サブタイプ情報を担持するフィールド、及びフローＩＤ情報を担持するフィールドより構成されており、または
前記第１種類のフレームのＭＡＣフレームヘッドは、フレームタイプ情報を担持するフィールド、サブタイプ情報を担持するフィールド、プロトコルバージョン情報を担持するフィールド、フローＩＤ情報を担持するフィールド、及び再送指示情報を担持するフィールドより構成されており、または
前記第２種類のフレームのＭＡＣフレームヘッドは、プロトコルバージョン情報を担持するフィールド、フレームタイプ情報を担持するフィールド、サブタイプ情報を担持するフィールド、フローＩＤ情報を担持するフィールド、フラグメンテーション番号情報を担持するフィールド、シーケンス番号情報を担持するフィールド、フラグメンテーション指示情報を担持するフィールド、及び長さ情報を担持するフィールドより構成されており、または
前記第２種類のフレームのＭＡＣフレームヘッドは、フレームタイプ情報を担持するフィールド、サブタイプ情報を担持するフィールド、プロトコルバージョン情報を担持するフィールド、フローＩＤ情報を担持するフィールド、再送指示情報を担持するフィールド、フラグメンテーション番号情報を担持するフィールド、シーケンス番号情報を担持するフィールド、フラグメンテーション指示情報を担持するフィールド、及び長さ情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示し、
前記再送指示情報は、現在のフレームが前フレームの再送フレームであることを示し、
その内、
前記フラグメンテーション番号情報は、ＭＡＣサービスデータユニットＭＳＤＵまたはＭＡＣ管理プロトコルデータユニットＭＭＰＤＵの各フラグメンテーションの番号を示し、
前記シーケンス番号情報は、ＭＡＣサービスデータユニットＭＳＤＵまたはＭＡＣ管理プロトコルデータユニットＭＭＰＤＵのシーケンス番号を示し、
前記フラグメンテーション指示情報は、後に現在ＭＡＣサービスデータユニットＭＳＤＵまたはＭＡＣ管理プロトコルデータユニットＭＭＰＤＵのフラグメンテーションがあるか否かを示し、
前記長さ情報は、ＭＡＣフレームヘッドフィールドとFCSフィールドの間の全フィールドの総バイト長を示すこと
を特徴とする請求項１６に記載の装置。
【請求項１８】
少なくともメディアアクセスコントロールＭＡＣフレームヘッドを含むメディアアクセスコントロールプロトコルデータユニットＭＰＤＵを受信するための受信モジュールと、
前記ＭＡＣフレームヘッドにより前記ＭＰＤＵを解析し、且つ前記ＭＰＤＵのタイプを決めるための解析モジュールと
を備えた受信装置。
【請求項１９】
前記ＭＰＤＵのタイプは、２種類のフレームを含み、該２種類のフレームは、異なる長さのＭＡＣフレームヘッドを有し、
第１種類のフレームのＭＡＣフレームヘッドの長さＬ１と第２種類のフレームのＭＡＣフレームヘッドの長さＬ２はいずれも固定値であり、Ｌ１はＬ２より小さいことを特徴とする請求項１８に記載の装置。
【請求項２０】
前記第１種類のフレームのＭＡＣフレームヘッドは、プロトコルバージョン情報を担持するフィールド、フレームタイプ情報を担持するフィールド、サブタイプ情報を担持するフィールド、及びフローＩＤ情報を担持するフィールドより構成されており、または
前記第１種類のフレームのＭＡＣフレームヘッドは、フレームタイプ情報を担持するフィールド、サブタイプ情報を担持するフィールド、プロトコルバージョン情報を担持するフィールド、フローＩＤ情報を担持するフィールド、及び再送指示情報を担持するフィールドより構成されており、または
前記第２種類のフレームのＭＡＣフレームヘッドは、プロトコルバージョン情報を担持するフィールド、フレームタイプ情報を担持するフィールド、サブタイプ情報を担持するフィールド、フローＩＤ情報を担持するフィールド、フラグメンテーション番号情報を担持するフィールド、シーケンス番号情報を担持するフィールド、フラグメンテーション指示情報を担持するフィールド、及び長さ情報を担持するフィールドより構成されており、または
前記第２種類のフレームのＭＡＣフレームヘッドは、フレームタイプ情報を担持するフィールド、サブタイプ情報を担持するフィールド、プロトコルバージョン情報を担持するフィールド、フローＩＤ情報を担持するフィールド、再送指示情報を担持するフィールド、フラグメンテーション番号情報を担持するフィールド、シーケンス番号情報を担持するフィールド、フラグメンテーション指示情報を担持するフィールド、及び長さ情報を担持するフィールドより構成されており、その内、
前記プロトコルバージョン情報は、現在標準のプロトコルバージョンを示し、
前記フレームタイプ情報とサブタイプ情報は、フレームの機能タイプを示し、
前記フローＩＤ情報は、現在フレームが所属する特定のアップリンクまたはダウンリンクサービスフローを示し、
前記再送指示情報は、現在のフレームが前フレームの再送フレームであることを示し、その内、
前記フラグメンテーション番号情報は、ＭＡＣサービスデータユニットＭＳＤＵまたはＭＡＣ管理プロトコルデータユニットＭＭＰＤＵの各フラグメンテーションの番号を示し、
前記シーケンス番号情報は、ＭＡＣサービスデータユニットＭＳＤＵまたはＭＡＣ管理プロトコルデータユニットＭＭＰＤＵのシーケンス番号を示し、
前記フラグメンテーション指示情報は、後に現在ＭＡＣサービスデータユニットＭＳＤＵまたはＭＡＣ管理プロトコルデータユニットＭＭＰＤＵのフラグメンテーションがあるか否かを示し、
前記長さ情報は、ＭＡＣフレームヘッドフィールドとＦＣＳフィールドの間の全フィールドの総バイト長を示すこと
を特徴とする請求項１９に記載の装置。
【国際調査報告】
2014511077.tif 000021
2014511077.tif 000022
2014511077.tif 000023
2014511077.tif 000024